(57)【特許請求の範囲】
【請求項１】
下端に開口（６）を有する筒状のケース（７）と、開口（６）を塞ぐ底蓋（８）とを有し、底蓋（８）を、ケース（７）と底蓋（８）との間に設けたロック構造を介してケース（７）に着脱可能に装着しているハウジングであって、
底蓋（８）は、前記開口（６）を塞ぐ蓋体（４６）と、蓋体（４６）で回動可能に支持される操作ノブ（４７）と、給電回路を構成する端子板（７３）とを備えており、
ロック構造は、操作ノブ（４７）の連結軸（５１）に同行回転可能に設けられるロック体（４８）と、ケース（７）側に設けられてロック体（４８）が係脱する係止部（２２）と、ロック体（４８）をロック状態とアンロック状態との各位置において位置保持する節度構造とを備えており、
節度構造は、端子板（７３）に設けた一対の節度片（９６）と、ロック体（４８）或いは連結軸（５１）に設けられて、一対の節度片（９６）が係脱する保持部（６７）とを備えており、
端子板（７３）には、操作ノブ（４７）の連結軸（５１）の挿通を許す挿通孔（９７）と、弾性変形可能な電池（４）用の一対の接点（９５）と、弾性変形可能な一対の節度片（９６）とを設け、
一対の接点（９５）を結ぶ直線が挿通孔（９７）を横切るように、一対の接点（９５）と挿通口（９７）を配置し、一対の節度片（９６）を、前記直線と交差する直線上で、挿通穴（９７）の周囲に設け、
節度片（９６）は、保持腕（９６ａ）と保持腕（９６ａ）の上端に形成される部分球面状の保持突起（９８）とを含み、
保持腕（９６ａ）は、端子板（７３）からの立ち上がり基端側は幅広に形成し、自由端側はそれよりも幅狭に形成していることを特徴とするハウジング。
【請求項２】
節度片（９６）を挿通穴（９７）の周囲の対向位置に設け、一対の接点（９５）を結ぶ直線と、一対の節度片（９６）を結ぶ直線とが互いに直交し、かつ一対の節度片（９６）を結ぶ直線が挿通穴（９７）の中心部を通る形態としたことを特徴とする請求項１に記載のハウジング。
【請求項３】
接点（９５）と節度片（９６）との間の板面に変形吸収部（９９）が設けられていることを特徴とする請求項１または２に記載のハウジング。
【請求項４】
変形吸収部（９９）は、階段状に形成されていることを特徴とする請求項３に記載のハウジング。
【請求項５】
端子板（７３）は、節度片（９６）が立ち上がる主リード部（９４）と接点（９５）が立ち上がる端部リード部（９４ａ）とを含み、
階段状の変形吸収部（９９）により、端部リード部（９４ａ）が主リード部（９４）よりも下方に位置することを特徴とする請求項４に記載のハウジング。
【請求項６】
階段状の変形吸収部（９９）の段差の上下寸法（ｈ１）より、端部リード部（９４ａ）から立ち上がる自由状態の接点（９５）の上下寸法（ｈ２）が大きくなるよう設定されていることを特徴とする請求項５に記載のハウジング。
【請求項７】
上記請求項１乃至６のいずれかひとつに記載のハウジングを有する小型電気機器。
【発明の詳細な説明】
【技術分野】
【０００１】
本発明は、下端に開口を有する筒状のケースと、開口を塞ぐ底蓋と、を備えており、底蓋がロック構造を介してケースに着脱可能に装着してあるハウジング、およびこのハウジングを有する小型電気機器に関する。
【背景技術】
【０００２】
この種のハウジングを有する小型電気機器は、特許文献１に公知である。そこでは、本体ケースの底面開口に底蓋を配置し、底蓋に設けた固定カムを本体ケースの係合溝に係合して、底蓋を本体ケースに固定している。底蓋の下面には固定カムを回動操作するダイアルが設けてあり、ダイアルと固定カムとはねじで一体に固定されている。ダイアルを回動操作して、係合溝に対する固定カムの姿勢を変更することにより、底蓋を本体ケースの底面開口に着脱することができる。同様の底蓋を備えている小型電気機器は、特許文献２にも見ることができる。
【先行技術文献】
【特許文献】
【０００３】
【特許文献１】特開２００２−１７７６６６号公報（段落番号００１９、００２０、図１、図６）
【特許文献２】特公平５−３８４２０号公報（２頁第４欄１７〜３３行、図４）
【発明の概要】
【発明が解決しようとする課題】
【０００４】
特許文献１には、節度構造は開示されておらず、特許文献２には、電池カバーに有する突起と係止カムに有する突起とを係合させた節度構造が開示されている。
【０００５】
本発明の目的は、操作ノブ用の節度構造を備えていて、操作ノブをロック状態とアンロック状態との各位置において的確に位置保持でき、しかも位置保持の状態のとき明確な操作感を得ることができるハウジング、およびこのハウジングを有する小型電気機器を提供することにある。
【課題を解決するための手段】
【０００６】
本発明に係るハウジングは、下端に開口６を有する筒状のケース７と、開口６を塞ぐ底蓋８とを有し、底蓋８が、ケース７と底蓋８との間に設けたロック構造を介してケース７に着脱可能に装着されている。底蓋８は、開口６を塞ぐ蓋体４６と、蓋体４６で回動可能に支持される操作ノブ４７と、給電回路を構成する端子板７３とを備えている。ロック構造は、操作ノブ４７の連結軸５１に同行回転可能に設けられるロック体４８と、ケース７側に設けられてロック体４８が係脱する係止部２２と、ロック体４８をロック状態とアンロック状態との各位置において位置保持できる節度構造とを備えている。節度構造は、端子板７３に設けた一対の節度片９６と、ロック体４８或いは連結軸５１に設けられて、一対の節度片９６が係脱する保持部６７とを備えている。端子板７３には、操作ノブ４７の連結軸５１の挿通を許す挿通孔９７と、弾性変形可能な電池４用の一対の接点９５と、弾性変形可能な一対の節度片９６とを設ける。一対の接点９５を結ぶ直線が挿通孔９７を横切るように、一対の接点９５と挿通口９７を配置し、一対の節度片９６を、前記直線と交差する直線上で、挿通穴９７の周囲に設ける。節度片９６は、保持腕９６ａと保持腕９６ａの上端に形成される部分球面状の保持突起９８とを含む。保持腕９６ａは、端子板７３からの立ち上がり基端側は幅広に形成し、自由端側はそれよりも幅狭に形成している。
【０００７】
また、節度片９６を挿通穴９７の周囲の対向位置に設け、一対の接点９５を結ぶ直線と、一対の節度片９６を結ぶ直線とが互いに直交し、かつ一対の節度片９６を結ぶ直線が挿通穴９７の中心部を通る形態を採ることができる。
【０００８】
また、接点９５と節度片９６との間の板面に変形吸収部９９を設ける。
【０００９】
また、変形吸収部９９は、階段状に形成されている。
【００１０】
また、端子板７３は、節度片９６が立ち上がる主リード部９４と接点９５が立ち上がる端部リード部９４ａとを含み、階段状の変形吸収部９９により、端部リード部９４ａが主リード部９４よりも下方に位置する。
【００１１】
また、階段状の変形吸収部９９の段差の上下寸法ｈ１より、端部リード部９４ａから立ち上がる自由状態の接点９５の上下寸法ｈ２が大きくなるよう設定されている。
【００１２】
上記いずれかひとつに記載のハウジングを小型電気機器に適用することができる。
【発明の効果】
【００１３】
本発明のハウジングにおいては、節度片９６を端子板７３に設けているので、別途節度片９６を用意せずに済み、コスト低減を図ることができる。しかも、節度片９６の長さを長くとることができるので、位置保持の状態のとき明確な操作感を得ることができる。一対の接点９５を結ぶ直線が挿通孔９７を横切るように、一対の接点９５と挿通口９７を配置し、節度片９６を、前記直線と交差する直線上で、挿通穴９７の周囲に設けている。これによれば、一対の接点９５を結ぶ直線上に節度片９６を形成する場合に比べて、接点９５から節度片９６までの距離を大きくとることができるので、一方の弾性変形の影響が他方に及ぶのを防止できる。したがって、接点９５と電池４とが接触不良を起こすことなく給電回路を構成することができる。また、節度構造は的確に節度機能を発揮できる。
【００１４】
また、節度片９６を挿通穴９７の周囲の対向位置に設け、一対の接点９５を結ぶ直線と、一対の節度片９６を結ぶ直線とが互いに直交し、かつ一対の節度片９６を結ぶ直線が挿通穴９７の中心部を通る形態を採ることができる。これによれば、一対の接点９５を結ぶ直線上に節度片９６を形成する場合に比べて、接点９５から節度片９６までの距離を最大に離すことができるので、一方の弾性変形の影響が他方に及ぶのを防止できる。したがって、接点９５と電池４とが接触不良を起こすことなく給電回路を構成することができる。また、節度構造は的確に節度機能を発揮できる。さらに、節度片９６をロック体４８或いは連結軸５１の対向位置に設けるので、確りとした節度感が得られる節度構造として、ロック体４８および操作ノブ４７をロック状態とアンロック状態との各位置において的確に位置保持することができる。
【００１５】
また、変形吸収部９９を接点９５と節度片９６との間の板面に設けた。これによれば、一方で発生した弾性変形が板面を伝わって他方に影響を及ぼし、それぞれに設定された弾性力が変化することを防止できる。詳しくは、接点９５に電池４を接続した際には、接点９５に弾性変形が発生し、節度構造を操作する際には、節度片９６に弾性変形が発生し、これらの弾性変形の影響は、接点９５および節度片９６の周辺の端子板７３にも及ぶ。そのため、接点９５および節度片９６が弾性変形すると、接点９５または節度片９６の弾性力が変化し、接点９５の接触不良、または節度構造の機能不全を生じるおそれがある。しかし、接点９５と、節度片９６との間の板面に変形吸収部９９を設けると、一方の弾性変形により端子板７３に発生する変形を変形吸収部９９で遮断して、弾性変形の影響が他方に及ぶことを防止することができる。したがって、接点９５および節度片９６の弾性力を、適正な状態に維持することができる。これに伴い、接点９５と電池４とが接触不良を起こすことなく給電回路を構成することができる。また、節度構造は的確に節度機能を発揮できる。
【００１６】
また、変形吸収部９９を階段状に形成している。これによれば、折り曲げ加工により変形吸収部９９を構成できるので、製造コストを低減できる。
【００１７】
また、端子板７３は、節度片９６が立ち上がる主リード部９４と接点９５が立ち上がる端部リード部９４ａとを含み、階段状の変形吸収部９９により、端部リード部９４ａが主リード部９４よりも下方に位置する。これによれば、適正に弾性変形できる接点を構成できるとともに、ハウジング全体の上下寸法をコンパクトに設定できる。
【００１８】
また、階段状の変形吸収部９９の段差の上下寸法ｈ１より、端部リード部９４ａから立ち上がる自由状態の接点９５の上下寸法ｈ２が大きくなるよう設定している。これによれば、適正に弾性変形できる接点９５を構成できるとともに、ハウジング全体の上下寸法をコンパクトに無駄なく設定できる。
【００１９】
上記ハウジング構造を小型電気機器に適用したことにより、コスト低減を図ることができる小型電気機器を得ることができる。また、節度構造を利用した位置保持の状態のとき明確な操作感を得ることができる小型電気機器を得ることができる。また、接点９５と電池４とが接触不良を起こすことがない小型電気機器の給電回路を構成することができる。
【図面の簡単な説明】
【００２０】
【図１】本発明のハウジングを備えた電気かみそりの下部縦断正面図である。
【図２】電気かみそりの正面図である。
【図３】電気かみそりの縦断正面図である。
【図４】電気かみそりの上部縦断側面図である。
【図５】図１におけるＡ−Ａ線断面図である。
【図６】ハウジングの分解断面図である。
【図７】底蓋の分解斜視図である。
【図８】図６におけるＢ−Ｂ線断面図である。
【図９】底蓋を取り外した状態の底面図である。
【図１０】図９におけるＣ−Ｃ線断面図である。
【図１１】給電回路を示す概略図である。
【図１２】スイッチの構造を示す部分正面図である。
【図１３】ケース本体下部と蓋体との寸法関係を示す概略図である。
【図１４】底蓋の別の実施例を示す縦断側面図である。
【図１５】端子板の別の実施例を示す図である。
【図１６】変形吸収部の変形例を示す部分正面図と平面図である。
【発明を実施するための形態】
【００２１】
（実施例）  図１から図１３に、本発明に係るハウジングを有する小型電気機器、具体的には電気かみそりの実施例を示す。なお、本発明における前後、左右、上下とは、図中に示す交差矢印と、各矢印の近傍に表記した前後、左右、上下の表示に従う。
【００２２】
図２において、電気かみそりは、ハウジング１と、ハウジング１の上端（一端）に設けられる切断刃２と、切断刃２を駆動するモーター３、およびモーター３に電力を供給する２個の電池４などで構成する。ハウジング１の前面上部には、モーター３を起動するスライドノブ５が配置されている。図３および図６に示すように、ハウジング１は、下端に開口６を有するケース７と、開口６を塞ぐように配置される底蓋８とを備えている。ケース７は、筒状のケース本体９と、ケース本体９の内部に収容されるインナーブラケット１０とで構成されている（図６参照）。底蓋８は、ケース７に着脱可能に設けられており、底蓋８を取り外すことにより、内装された電池４を交換することができる。図３および図４に示すように、ハウジング１の上部には、不使用時に切断刃２を保護するための保護キャップ１００が着脱可能に設けられている。電池４は、乾電池であってもよいし、充電池であってもよい。
【００２３】
図３および図５に示すように、切断刃２は、スリット刃からなる内刃１２と、外刃ホルダー１４でアーチ状に保形される網刃構造の外刃１３とで構成する。外刃ホルダー１４は、ハウジング１の上部のホルダーベース３６に着脱可能に外嵌装着されて、ケース本体９の両側に設けたロック爪１５で、取り外し不能にロック保持されている。
【００２４】
図３および図６に示すように、インナーブラケット１０は、上壁１７と、上壁１７の中央下部に設けられモーター３を固定するモーターホルダー１８と、モーターホルダー１８の左右に設けられる電池ホルダー１９と、上壁１７の左右端から上方に向かって突出形成される左右一対の締結ボス２０と、一対の締結ボス２０の間に設けられる振動子２１とを一体に形成したプラスチック成形品からなる。一対の締結ボス２０は、ケース本体９とインナーブラケット１０とを固定する締結ビス４２の締結座を兼ねている。さらに、インナーブラケット１０には、モーターホルダー１８の下端に設けられる左右一対のＬ字状の係止部２２と、モーターホルダー１８の下端中央に下向きに突設される突起２３とが一体に形成されている。一対の係止部２２には、その前後にケース本体９に対するインナーブラケット１０の組み付け位置を規定し、ケース本体９の内向きの変形を防止する支持アーム２４が４箇所に突出形成されている（図５参照）。
【００２５】
図３および図４に示すように、振動子２１は、門形の振動枠２５と、振動枠２５の下面に形成されたカム溝２６と、振動枠２５の両側の下端から連出される左右一対の振動腕２７と、振動枠２５の上面に形成される駆動軸２８とで構成してある。振動腕２７の上端は、先の締結ボス２０と一体に形成されている。モーター３の回転動力は、その出力軸に設けた偏心カム２９と振動子２１とで往復動力に変換されたのち、駆動軸２８を介して内刃１２に伝動される。振動子２１の駆動軸２８と内刃１２とは、上下フロート自在なフロート構造を介して連結されており、内刃１２はフロートばね２８ａで外刃１３と密着する向きに押付け付勢されている。
【００２６】
図４から図６に示すように、ケース本体９は、横断面形状が長円状の筒壁３１と、筒壁３１の上部前後に設けられる前後壁３２・３３（図４参照）と、前後壁３２・３３の左右端を繋ぐ階段状の左右壁３４と、前後壁３２・３３および左右壁３４の上端を繋ぐ上壁３５とで、筒状に一体に形成されたプラスチック成形品からなる。前後壁３２・３３および左右壁３４と、上壁３５とでケース本体９の上側開口を塞いで、外刃ホルダー１４を支持するホルダーベース３６を構成している。これにより、ケース本体９は、上側開口が塞がれて下端に開口６を有する筒状に形成されている。上壁３５の中央には、駆動軸２８を露出させるための軸窓３７が開口されており、軸窓３７の左右には、締結ビス４２を挿通するための挿通孔３８が形成されている。上壁３５の左右端に、外刃ホルダー１４をロック保持するためのロック爪１５が、ばねで外向きに付勢された状態で設けられる（図３参照）。
【００２７】
ケース本体９とインナーブラケット１０とは、以下の要領で組み付ける。まず、インナーブラケット１０のモーターホルダー１８にモーター３を固定し、さらに、可動端子板７０、固定端子板７１、および第１の端子板７２をインナーブラケット１０に組み付ける。これらの端子板７０〜７２の詳細については後述する。各端子板７０〜７２を組み付けた状態で、インナーブラケット１０を開口６からケース本体９内に挿入する。次に、振動子２１の駆動軸２８と軸窓３７との間にシール体４０を装着して両者２８・３７の隙間を塞ぎ、その周囲壁を軸窓３７の周囲壁の上面に密着させる。締結ビス４２を挿通するための挿通孔３８のそれぞれには、Ｏリング４１を配置し、上壁の左右端部にロック爪１５を配置しておく。最後に、ステンレス板材を打ち抜いて形成した押え板４３をケース本体９の上壁３５の上面に載置したのち、そのビス挿通孔に挿通した締結ビス４２を締結座を兼ねる締結ボス２０に形成したビス孔４４にねじ込んで、インナーブラケット１０と、ケース本体９と、押え板４３とを共締め固定する。同時に、シール体４０の周縁壁とロック爪１５の上面を押え板４３で挟持する。
【００２８】
ケース本体９とインナーブラケット１０とを組み付けた状態では、ケース７の上部に、振動子２１を収容する振動子室Ｒが区画形成される。振動子室Ｒは、インナーブラケット１０の上壁１７、および左右一対の締結ボス２０と、ケース本体９の上壁３５、および前後壁３２・３３とに挟まれた内部空間であり、この振動子室Ｒ内に振動子２１が配置される。このように、振動子室Ｒに振動子２１を配置すると、偏心カム２９と振動子２１との接触部分、つまり叩打音の発生源の周囲全体を、先の各部材１７・２０・３２・３３・３５で覆うことにより、外部への音漏れを防止でき、したがって、電気かみそりを静音化することができる。また、軸窓３７および挿通孔３８は、シール体４０とＯリング４１とで隙間を封止してあるので、髭剃り時あるいは電気かみそりを水洗い洗浄するときに、毛屑や水がハウジング１内に浸入するのを防止できる。
【００２９】
図９に示すように、左右の電池ホルダー１９の下端は開口６に臨んでおり、電池４を電池ホルダー１９内に挿入する電池挿入口１９ａになっている。図１、図６、図９および図１０に示すように、挿入口１９ａには、それぞれ表示部１１０がインナーブラケット１０と一体に形成されている。詳しくは、表示部１１０は、係合部２２の下端に形成される突出部１１２と、装填方向表示体１１３とで形成されている。突出部１１２には、開口６に臨むように、前方から後方へ行くに従い下り傾斜する傾斜面１１１が形成されており、この傾斜面１１１に装填方向表示体１１３が形成されている。装填方向表示体１１３は、電池４の外観形状を模した形状に、傾斜面１１１から突出形成して、凸状の模様としてある。
【００３０】
上記のように、ケース７をケース本体９とインナーブラケット１０とで構成し、振動子２１、係止部２２、および突起２３などをインナーブラケット１０と一体に形成すると、部品点数を削減し、各部品を組み付ける手間を著しく省くことができる。また、締結ボス２０が締結ビス４２を締結する締結座を兼ねることも、部品点数の削減と、各部品の組み付けの手間を省くことに役立っており、全体として電気かみそりの製造コストを削減できる。加えて、締結ビス４２により、ケース本体９とインナーブラケット１０と振動子２１の三者を強固に一体化できる。また、振動子２１が締結ビス４２で締結された締結ボス２０と一体に設けてあるので、振動子２１の振動が周囲部品へ伝わってビビリ音が発生するのをよく防止でき、電気かみそりを静音化できる。
【００３１】
左右一対の電池ホルダー１９の電池挿入口１９ａに、電池４の挿入方向を表示する表示部１１０を設けた。また、表示部１１０は、開口６の側へ突出する突出部１１２と、電池４の形状を模した形状の装填方向表示体１１３とで構成した。このように、表示部１１０を設けると、電池４の挿入方向を一見して理解することができるので、電池４の挿入位置および方向を明確に表示することができる。また、表示部１１０をインナーブラケット１０と一体に形成したので、表示部１１０を独立した部品として形成する場合に比べて、部品点数を削減することができる。また、表示部１１０を組み付ける手間を省くことができる。さらに、装填方向表示体１１３を突出部１１２と一体に形成して、凸状の模様として形成したので、装填方向の表示を塗装あるいはシール等の印刷物とした場合とは異なり、使用期間が長期にわたる場合であっても、装填方向表示１１３が劣化し、あるいは消失するのを解消できる。したがって、装填方向表示体１１３の表示機能を長期にわたって安定した状態で発揮できる。装填方向表示１１３を指先で触って、電池４の装填方向を判別することもできる。加えて、開口６に臨んで前方から後方へ行くに従い下り傾斜する傾斜面１１１を設けたので、装填方向表示体１１３を見やすい方向に指向させることができ、電池４の挿入位置および方向をさらに明確化することができる。
【００３２】
図１および図７に示すように、底蓋８は、蓋体４６と、蓋体４６に回動可能に設けられる操作ノブ４７と、操作ノブ４７に連結されるロック体４８とからなる。さらに、底蓋８には、モーター３に電力を供給する給電回路を構成する端子板（第２の端子板）７３が配置されている。第２の端子板７３の詳細については後述する。操作ノブ４７は、ノブ本体５０と、ノブ本体５０から上方に向かって突出形成される連結軸５１とが一体に形成されたプラスチック成形品からなる。連結軸５１は、径方向へ二分するスリット５２ａで区分された一対の弾性腕５２と、弾性腕５２の上端に張り出し形成される係合爪５３と、弾性腕５２とノブ本体５０とを接続する段付き状の基軸部５１とで構成されている。なお、弾性腕５２は、連結軸５１をスリット５２ａで区分した一対の弾性腕５２に限らず、放射状に拡縮自在な３個以上の弾性腕５２として構成してもよい。ノブ本体５０は、平面視でケース本体９の筒壁３１の横断面形状と略同一形状に形成されており、一対の弾性腕５２はその横断面外郭形状が平坦部を有する非円形断面となっている。基軸部５１の左右近傍には、後述する蓋体４６の規制溝６１に挿入されて、操作ノブ４７の回動限界を規定する規制突起５５が、上向きに設けられている。
【００３３】
図１および図７に示すように、蓋体４６は、蓋本体５７の下端周縁にフランジ部５８を張り出し形成したプラスチック成形品からなる。蓋本体５７には、上下に貫通するように段付き状の軸孔５９が開設されている。蓋本体５７の周縁には、リング状のシールリング６０が嵌め込み装着されており、蓋本体５７の底面には、先の規制突起５５が挿入される部分円弧状の規制溝６１が、２箇所に形成されている。また、蓋体４６の上面には、第２の端子板の回転を阻止する規制壁６２が、前後一対づつ設けられている（図８参照）。規制突起５５と規制溝６１とにより、操作ノブ４７と蓋体４６とは、蓋体４６の長手方向と操作ノブ４７の長手方向とが一致するロック位置と、蓋体４６の長手方向と操作ノブ４７の長手方向とが直交するアンロック位置との間で、９０度回動できるように組み付けてある。
【００３４】
図７および図８に示すように、底蓋８のケース内面側には、切断刃２の周辺、あるいはスライドノブ５の周辺に付着した毛屑を掃除するための長軸状の清掃体１１５を設けてある。清掃体１１５は、底蓋８をケース７にした装着した状態では、ハウジング１内に収容されている（図５参照）。清掃体１１５は、丸軸状のブラシ本体１１６と、ブラシ本体１１６に植設されるブラシ部１１７とで形成されている。蓋体４６のケース内面側には、蓋体４６の強度を増すための４個の補強リブ１１８が形成されている。４個の補強リブ１１８は、清掃体１１５を装着するための装着部１１９を兼ねている。詳しくは、図５に示すようにブラシ本体１１６の軸端を受止めるコ字状の補強リブ１１８と、ブラシ本体１１６の中途部を保持する前後一対の補強リブ１１８と、ブラシ部１１７の近傍に設けた補強リブ１１８とで、装着部１１９を構成している。本実施例では、補強リブ１１８で装着部１１９を構成したが、蓋体４６に凹部を形成し、この凹部を装着部１１９としてもよく、さらには凹部と補強リブ１１８との双方を形成し、これを装着部１１９としてもよい。
【００３５】
清掃体１１５は蓋体４６の長手方向と、清掃体１１５の長手方向、すなわちブラシ軸１１６の軸心方向とが一致するように、装着部１１９に着脱可能に装着されている。具体的には、図８に示すように、左右中央に位置する２個の補強リブ１１８の突端には、対向する向きの爪が形成してあり、この爪でブラシ本体１１６を係合保持している。コ字状の補強リブ１１８は、清掃体１１５の左方向の位置規制を行い、清掃体１１５を適正な位置に保持できるようになっている。右側の補強リブ１１８は、ブラシ部１１７の広がりを規制しており、底蓋８をケース７に装着する際に、開口６の周縁と底蓋８との間にブラシ部１１７が挟み込まれるのを防いでいる。
【００３６】
図１および図７に示すように、ロック体４８は、円柱状の連結ボス６３と、連結ボス６３の上部の対向位置に突出形成される係止体６４とが一体に形成されたプラスチック成形品からなる。係止体６４の内部と、連結ボス６３の内部には、段部６５と装着孔６６とが、ロック体４８を上下に貫通するように形成されている。装着孔６６の横断面形状は、先の一対の弾性腕５２の横断面外郭形状と一致させてあり、ロック体４８の連結ボス６３を連結軸５１に係合装着した状態で、操作ノブ４７とロック体４８とが同行回転可能に連結される。また、装着孔６６は、操作ノブ４７とロック体４８とを連結した状態において、ロック体４８の係止体６４が、操作ノブ４７の長手方向と同方向に指向する状態で連結されるように形成されている。つまりロック体４８の係止体６４は連結軸５１から上下方向と直交する向きに張り出す形態となっており、一対の係止体６４により長軸状の態様をなしている。さらに、連結ボス６３の外周面には、第２の端子板７３に設けた保持腕９６とともに操作ノブ４７を蓋体４６対して位置保持する節度構造を構成する溝状の保持部６７が等角度間隔で４箇所に設けてある。また、連結ボス６３の下端周縁には、円周状のリブ６９が下向きに形成されており、ロック体４８を連結軸５１に係合装着した状態において、蓋体４６のケース内面側とリブ６９とで、第２の端子板７３を狭持固定する。なお、リブ６９は、断続する部分円弧状に形成してもよい。上記の狭持固定とは、浮き上がりを防止できる程度に固定されていればよく、蓋体４６のケース内面側とリブ６９との間に、僅かな隙間が存在しても問題はない。
【００３７】
蓋体４６、操作ノブ４７、およびロック体４８は、以下の要領で組み付ける。まず、操作ノブ４７の軸部５１の基端部にシールリング６８を装着した状態で、蓋体４６の軸孔５９に、弾性腕５２および軸部５１を挿通する。次に、弾性腕５２および軸部５１に、上方から第２の端子板７３の挿通孔９７を挿通する。さらに、ロック体４８の装着孔６６に弾性腕５２を挿入して、弾性腕５２の係合爪５３を装着孔６６の段部６５に係合させて、操作ノブ４７とロック体４８とを分離不能に連結する。これにて、蓋体４６と操作ノブ４７とは、操作ノブ４７を回動操作することで、係止体６４が蓋体４６の長手方向と一致する向きへ指向するロック姿勢と、係止体６４が蓋体４６の長手方向と直交する向きへ指向するアンロック姿勢とに切り替えることができる。また、第２の端子板７３は、ロック体４８を連結軸５１に連結した状態において、挿通孔９７の周囲が環状のリブ６９と蓋体４６とで狭持固定されるので、端子板７３の上下の動きを規制することができる。なお、シールリング６０の装着は、三者の組み付け時、あるいは組み付け後など、いつ行ってもよい。
【００３８】
底蓋８をケース７に装着する場合には、図８に示すように、操作ノブ４７を反時計回転方向のアンロック位置に回動操作して、操作ノブ４７と蓋体４６との長手方向を直交させる。この状態では、ロック体４８の係止体６４は、蓋体４６の長手方向と直交する方向を指向している。次に、フランジ部５８がケース本体９の下端周縁部に接触するまで、蓋体４６をケース本体９の開口６内に挿入する。最後に、操作ノブ４７を図８において時計回転方向へ９０度回動操作してロック体４８をロック姿勢にすることにより、ロック体４８の係止体６４を、インナーブラケット１０に形成した係止部２２に係止させ、底蓋８をケース７に引寄せた状態で装着する。このとき、フランジ部５８とケース本体９の下端周縁部、および係止体６４と係止部２２の間には、隙間は存在せず、ケース７に対して底蓋８をガタつきのない状態で固定できる。底蓋８を取り外す際には、操作ノブ４７を図５に示す状態から反時計回転方向へ回動操作して、ロック体４８をアンロック姿勢に切り替えることにより、開口６から取り外すことができる。これにて、ハウジング１内に配置された電池４を交換する、或いは取り外して充電することができる。なお、操作ノブ４７を図５に示す状態から時計回転方向に９０度回動操作してアンロック状態とし、そのアンロック状態から反時計回転方向に９０度回動させてロック解除状態とする規制突起５５と規制溝６１の配置であってもよい。底蓋８を開口６から取り外した状態、つまり操作ノブ４７をロック解除操作した状態では、操作ノブ４７の長手方向は、蓋体４６の長手方向と直交している。この状態の清掃体（付属品）１１５は、連結軸５１と、操作ノブ４７の長手方向端部と、ロック体４８の係止体６４で保護されており（図８参照）、手指等が触れて清掃体（付属品）１１５が誤って取り外されることを防止できる。図８に示すように、清掃体（付属品）１１５は、操作ノブ４７をロック解除操作した状態において、係止体６４が付属品（１１５）の一部分ではあるがその上方を覆っている（一点鎖線参照）。
【００３９】
図１に示すように、底蓋８をケース７に装着した状態では、連結軸５１はケース７内に臨み、インナーブラケット１０に設けた突起２３が、２個の弾性腕５２の間に挿入されて、弾性腕５２が内側に変形することを阻止している。そのため、底蓋８に落下衝撃が加わるような場合でも、弾性腕５２が変形して係合爪５３が段部６５から外れるのを防止できる。したがって、底蓋８のケース７に対する装着状態を維持して、ハウジング１内に収容された電池などの内装部品の脱落を確実に防止できる。また、ケース７と蓋体４６の間、および蓋体４６と操作ノブ４７との間は、シールリング６０とシールリング６８とで、隙間を封止してあるので、髭剃り時あるいは電気かみそりを水洗い洗浄するときに、毛屑や水がハウジング１内に浸入するのを防止できる。連結軸５１がケース７内に臨むとは、連結軸５１がケース７内に直接臨む構造とロック体４８を介して間接的に臨む構造を含む。連結軸５１がケース７内に直接臨む構造は、連結軸５１とロック体４８とが一体に構成されるもの、係止体６４のみ別体で構成されるものが該当する。
【００４０】
上記のような底蓋８の構成によれば、装着孔６６に弾性腕５２を差し込み、係合爪５３を段部６５に係合させるだけで、操作ノブ４７とロック体４８と第２の端子板７３とを軸心方向へ分離不能に連結して、操作ノブ４７とロック体４８とが同行回転できように組み立てることができる。したがって、従来のように組み立て時にねじで締結する必要がなく、より少ない手間で簡単に、しかも確実に底蓋８を組み立てることができる。また、ねじを使用しないので部品点数を削減することができ、ハウジングの製造コストを削減できる利点もある。さらに、ねじの緩みによる操作不良が発生することはなく、底蓋８の着脱を常に的確に行うことができる。加えて、装着孔６６の上端に連続して段部６５を形成するので、係合爪５３が段部６５に係合したかどうかを目視で簡単に確認することができ、底蓋８を確実に組み立てることができる。なお、底蓋８の蓋体４６は、ケース本体９の外面の全体を覆うような形態であってもよい。
【００４１】
底蓋８のケース内面側に、清掃体１１５を着脱可能に装着すると、ハウジング内に清掃体１１５を収容することができ、例えば、鞄等に収めた状態で電気かみそりを携行する場合でも、別途清掃体１１５を携行する必要がなく、手軽に清掃体１１５による清掃を行うことができる。また、清掃体１１５の紛失または、破損を防止することができる。さらに、清掃体１１５が外面に露出することがないので、シンプルな外観デザインとすることができる。蓋体４６を補強する補強リブ１１８を利用して構成した装着部１１９に清掃体１１５を着脱可能に装着したので、別途、装着部１１９を設ける必要がなく、ハウジングの製造コストを削減することができる。加えて、蓋体４６の長手方向に沿う状態で、長軸状に形成した清掃体１１５を装着部１１９に装着したので、蓋体４６の左右方向寸法の範囲内で長尺の清掃体１１５を設けることができる。長尺の清掃体１１５は、短尺の清掃体に比べて、手指で操作しやすい反面、その収納に大きなスペースを必要とする。しかし、清掃体１１５を蓋体４６の長手方向に沿う状態で収容することにより、取扱いが容易な清掃体１１５を蓋体４６の内面のスペースを利用して好適に収容することができる。
【００４２】
図６および図１１に示すように、ハウジング１内には、電池４の電力をモーター３に供給するための給電回路が内装されている。給電回路は、可動端子板７０と、固定端子板７１と、第１の端子板７２と、端子板（第２の端子板）７３とで構成する。可動端子板７０、固定端子板７１、および第１の端子板７２は、インナーブラケット１０に組み付けてあり、第２の端子板７３は蓋体４６に組み付けてある。各端子板７０〜７３は、ステンレス板材で形成してある。
【００４３】
図４、図１１および図１２に示すように、ハウジング１と給電回路との間に、給電回路をオン・オフするためのスイッチ７４が設けてある。スイッチ７４は、上下に対向配置される可動側端子７５および固定側端子７６と、可動側端子７５を固定側端子７６に対して接離操作する切換え機構とで構成されている。可動側端子７５は、可動端子板７０の一端に設けられており、他端が左側電池４の上端極である正極に接続されている。固定側端子７６は、固定端子板７１の一端に設けられており、他端がモーター３の正極端子に接続されている。可動側端子７５と固定側端子７６とは、振動子２１が配置される振動子室Ｒに、両端子７５・７６が上下に位置する状態で配置されている。第１の端子板７２は、一端が右側電池４の上端極である負極に接続されており、他端がモーター３の負極端子に接続されている。第２の端子板７３は、その左右端が左右の電池４の下端極である負極と正極とにそれぞれ接続されている。これにて、電池４は直列に接続され、可動側端子７５および固定側端子７６の接離により、電池４の電力をモーター３に供給することができる。
【００４４】
図７および図１１に示すように端子板（第２の端子板）７３は、主リード部９４と、主リード部９４の左右端に設けられる端部リード部９４ａと、端部リード部９４ａの端部後方から立ち上がる断面く字状のばね接点（接点）９５と、主リード部９４の中央部前後から上方に向かって立ち上がる板状の節度片９６とが折り曲げ加工で一体に形成されている。一対の節度片９６の間の主リード部９４の中央には、操作ノブ４７の連結軸５１が挿通される挿通孔９７が開設してある。つまり節度片９６は、挿通穴９７の周囲に一対設けられている。節度片９６とばね接点９５との間のリード部（板面）には、２つの曲げ部によって形成した階段状の変形吸収部９９が設けられている。本実施例の階段状の変形吸収部９９の段数は２段であるが、４つの曲げ部を形成して３段の階段状の変形吸収部９９としてもよく、或いはそれ以上の段数があってもよい。変形吸収部９９は左右に一対設けられている。図７に示すように節度片９６とばね接点９５との間のリード部（板面）には変形吸収部９９が階段状に折り曲げ形成されており、変形吸収部９９を境にしてリード部（板面）は、主リード部９４と端部リード部９４ａとに分離されている。挿通孔９７は本実施例のように円形である必要はなく、楕円形、四角形であってもよい。また、挿通孔９７は本実施例のように完全な円形である必要はなく、不完全な円形であってもよい。つまり挿通孔９７を構成する主リード部９４の一部が切り欠かれている形態であってもよい。
【００４５】
上述のように、変形吸収部９９は、階段状に形成されている。端子板７３は、節度片９６が立ち上がる主リード部９４と接点９５が立ち上がる端部リード部９４ａとを含み、主リード部９４と端部リード部９４ａとは、階段状の変形吸収部９９により、端部リード部９４ａが主リード部９４よりも下方に位置している。また、階段状の変形吸収部９９の段差の上下寸法ｈ１より、端部リード部９４ａから立ち上がる自由状態の接点９５の上下寸法ｈ２が大きくなるよう設定されている。左右の端部リード部９４ａから立ち上がるばね接点９５により、各電池４を上方側の端子に押し付けることができ、確実に給電回路を接続することができる。また、電池４の収容状態における端部リード部９４ａから立ち上がる接点９５の上下寸法が、階段状の変形吸収部９９の段差の上下寸法ｈ１と同じか、僅かに大きく設定されている。これによれば、接点４が弾性復元力を保ったままの変形が可能となり、たとえ強い衝撃力が生じても接点４が塑性変形することがなく、経年的に電池端子に接触圧を加えることができる。
【００４６】
節度片９６は、保持腕９６ａと保持腕９６ａの上端に形成される部分球面状の保持突起９８とで形成されている。保持腕９６ａは、主リード部９４からの立ち上がり基端側は幅広に形成し、自由端側はそれよりも幅狭に形成して、強度を確保している。一対の節度片９６を結ぶ直線は、一対の接点９５を結ぶ直線と直交している。一対の接点９５を結ぶ直線が挿通孔９７を横切るように、本実施例では、一対の接点９５を結ぶ直線が挿通孔９７の中心部を通るように一対の接点９５と挿通口９７が配置されている。また、節度片９６は、一対の接点９５を結ぶ直線と交差する直線上で、挿通穴９７の周囲に設ける。具体的には、図５、図８に示すように、節度片９６を挿通穴９７の周囲の対向位置に設け、一対の接点９５を結ぶ直線と、一対の節度片９６を結ぶ直線とが互いに直交し、かつ一対の節度片９６を結ぶ直線が挿通穴９７の中心部を通る形態を採る。なお具体的に直線を結ぶ基準となる部位は、節度片９６では、保持部６７と係合する部分、つまり保持突起９８であり、接点９５では、電池４の接点と接触する部分、つまり接点部９５ａであり、さらにその中央部分である。
【００４７】
先に説明したロック体４８に設けた溝状の保持部６７と節度片９６とで、操作ノブ４７の節度構造を構成している。節度構造は、節度片９６に設けた保持突起９８が、保持部６７と係合することにより、蓋体４６に対して操作ノブ４７を、ロック位置とアンロック位置とに位置保持することができる（図８参照）。ロック位置のときは、ロック体４８の係止体６４と係止部２２とが強く密着するため、操作ノブ４７をロック位置に切り換えた姿勢のときの位置保持、つまり節度構造は省略することができる。すなわち、アンロック姿勢のときのみに位置保持ができるように、節度片９６と保持部６７とを配置した節度構造とすることができる。節度片９６は一対設けることに限定されず、１個でもよいし、３個以上設けてもよい。
【００４８】
上記のような第２の端子板７３によれば、接点９５に電池４を接続した際に、接点９５に発生する弾性変形と、節度構造を操作する際に、節度片９６に発生する弾性変形とに起因する主リード部９４に発生する撓み等の変形を、変形吸収部９９で遮断して、弾性変形の影響が一方から他方へと及ぶことを防止することができる。したがって、それぞれの弾性力を、あらかじめ設定された適正な状態に維持することができる。また、ロック体４８を一対の節度片９６で挟み込むので、確りとした節度感が得られる節度構造とすることができる。
【００４９】
スイッチ７４の切換え機構は、ケース本体９の外面に沿って左右に往復スライド操作されるスライドノブ５と、スライドノブ５の往復動作を回転動作に変換する偏心カム７８と、偏心カム７８に同行回転して、可動側端子７５の接離状態を切換える操作軸８３とで構成してある。スライドノブ５はプラスチック成形品からなり、後面に偏心カム７８を操作する長孔状の操作溝７９が凹み形成されており、その上辺部および下辺部には、４個の係合爪８１が突出形成されている。これらの係合爪８１をケース本体９に形成したガイド溝８０に係合することにより、スライドノブ５はガイド溝８０に沿って左右スライドできる。スライドノブ５は、偏心カム７８の外面を覆う状態で、ケース本体９の前壁３２の外面に配置されている。図２に示すようにスライドノブ５が、左端に位置する状態が給電回路がオフとなる位置であり、右端に位置する状態が給電回路がオンとなる位置である。
【００５０】
図１２に示すように、偏心カム７８は、円板状のカムベース８２と、カムベース８２の後面に突出形成される操作部を備えた操作軸８３と、スライドノブ５の操作溝７９で操作される操作突起８４と、弾性変形可能な環状に形成された節度体８５とを一体に形成したプラスチック成形品からなる。操作軸８３には平坦面８６を設けて、断面半月状の操作部が形成されている。ケース本体９の前壁３２に、節度体８５の移動軌跡と重なる状態で、部分円弧状の節度突起８８が突設されている。節度構造は、節度体８５と節度突起８８とにより構成されている。
【００５１】
スライドノブ５と偏心カム７８は、以下の要領で組み付ける。まず、ケース本体９の前壁３２に開設された挿通孔８９に、Ｏリング９０を装着した操作軸８３を、操作部の平坦面８６が可動側端子７５の操作片９２に接触するように挿入する。こののち、スライドノブ５の操作溝７９と偏心カム７８の操作突起８４とが係合する位置で、係合爪８１をガイド溝８０に嵌め込む。これにより、スライドノブ５は、給電回路がオフとなる左端の位置で組み付けられ、先に説明した節度構造で位置保持される。また、挿通孔８９はＯリング９０で隙間を封止してあるので、髭剃り時あるいは電気かみそりを水洗い洗浄するときに、毛屑や水がハウジング１内に浸入するのを防止できる。
【００５２】
スライドノブ５を右方向にスライド操作すると、操作溝７９で操作突起８４が操作されて、偏心カム７８が時計回りに回転する。このとき、偏心カム７８は、節度体８５が弾性変形し、節度突起８８を乗り越えながら回転する。スライドノブ５が、右端までスライド操作されると、偏心カム７８は時計方向へ約９０度回転し、操作軸８３の平坦面８６が傾斜する状態となる（図１１参照）。平坦面８６が傾斜すると、可動側端子７５の操作片９２が下方に押し下げられて、可動側端子７５と固定側端子７６とが接触する。これにより、電池４の電力がモーター３に供給され、モーター３が回転する。モーター３の回転は、偏心カム２９と振動子２１とで回転動力が往復動力に変換され、振動子２１の駆動軸２８に連結された内刃１２へ動力が伝動される。
【００５３】
電気かみそりの不使用時には、保護キャップ１００をホルダーベース３６に装着することにより、外刃ホルダー１４およびスライドノブ５の外面を覆うことができる（図４参照）。このように外刃１３を保護する保護キャップ１００で、スライドノブ５を覆うと、例えば、鞄等に収めた状態で電気かみそりを携行する場合に、スライドノブ５が他物と衝突してオン操作されるのを確実に防止できる。
【００５４】
上記のように、壁で区画された振動子室Ｒにスイッチ７４を構成する、可動側端子７５および固定側端子７６を配置すると、振動子２１の振動で、両端子７５・７６の接触部分を相対摺動させることができる。したがって、両端子７５・７６の接触部分に電気抵抗となる酸化皮膜が形成されるのを防止できる。また、長期間にわたって不使用状態が続いて、酸化皮膜が形成された場合でも、微振動により酸化皮膜を剥離することができるので、電気かみそりの信頼性を向上することができる。また、振動子２１の往復駆動に伴う振動子室Ｒ内の空気流により、両端子７５・７６に付着した埃等を吹き飛ばして両端子７５・７６の接触状態を好適化できる。
【００５５】
振動子室Ｒを区画するケース本体９の前壁３２にスライドノブ５を配置すると、使用時に人体と正対する側の騒音を、ケース本体９とスライドノブ５とで２重に遮蔽できるので、電気かみそりを静音化できる。また、スライドノブ５を左右にスライド操作して、偏心カム７８を介して可動側および固定側の端子７５・７６を接離操作すると、スライドノブ５のスライド方向に沿ってハウジング１を握っている手指により、使用時に誤ってスライドノブ５が操作されることを防止できる。
【００５６】
偏心カム７８に設けた環状の節度体８５と、ケース本体９に設けた節度突起８８とで節度構造を構成すると、節度構造を簡素化できる。また、節度体８５を環状に形成すると、片持ち状に形成された節度体に比べて、小さなスペースで大きな弾性力を発揮させて、節度突起８８の両端において的確に節度機能を発揮できる。
【００５７】
ケース７と、蓋体４６と、操作ノブ４７の寸法関係は図１３に示すように設定する。底蓋８をロック構造でケース７の開口６に装着した状態のとき、蓋体４６の両側端で規定される外郭寸法（Ｖ）が、操作ノブ４７の両側端で規定される外郭寸法（Ｗ）よりも小さく設定されている形態を採ることができる。このように、蓋体４６の外郭寸法（Ｖ）が、操作ノブ４７の外郭寸法（Ｗ）よりも小さく設定されている（Ｖ＜Ｗ）と、操作ノブ４７を操作する際に、手指で両者４６・４７を同時に掴むことがなく、操作ノブ４７だけを確実に掴んで回動操作できる。したがって、操作ノブ４７の回動操作を行いやすく、操作性の良好な底蓋８とすることができる。
【００５８】
また、蓋体４６の両側端で規定される外郭寸法（Ｖ）が、ケース７の両側端で規定される外郭寸法（Ｘ）よりも小さく設定されている形態を採ることができる。このように、蓋体４６の外郭寸法（Ｖ）が、ケース７の外郭寸法（Ｘ）よりも小さく設定されている（Ｖ＜Ｘ）と、蓋体４６が操作ノブ４７およびケース７よりも内側に配置されるため、例えば、落下によりに蓋体４６に直接衝撃が加わることを防止でき、蓋体４６の破損を防止することができる。したがって、ハウジング内に収容された電池などの内装部品が散乱することを防止できる。
【００５９】
さらに、操作ノブ４７はノブ本体５０を含み、ノブ本体５０の上下寸法（Ｙ）が、ケース７の下端面とノブ本体５０の上端面とで規定される隙間寸法（Ｚ）よりも大きく設定されている形態を採ることができる。このように、ノブ本体５０の上下寸法（Ｙ）が、ケース７とノブ本体５０との隙間寸法（Ｚ）よりも大きく設定されている（Ｙ＞Ｚ）と、蓋体４６の存在を誇示しないシンプルな外観デザインとすることができる。なお、ハウジング１は平面視において、長円形状を呈しており、その中心を通る垂直面では、どの位置においても上記寸法関係を満足している。
【００６０】
上記構成のハウジングは、次の形態で実施できる。
ハウジングは、下端に開口６を有する筒状のケース７と、開口６から出し入れされケース７内に収容される電池４と、開口６を塞ぐ底蓋８とを有し、底蓋８が、ケース７と底蓋８との間に設けたロック構造を介してケース７に着脱可能に装着してある。底蓋８は、前記開口６を塞ぐ蓋体４６と、蓋体４６で回動可能に支持される操作ノブ４７とを備える。操作ノブ４７は、蓋体４６を貫通してケース７内に臨む連結軸５１を備える。ロック構造は、操作ノブ４７の連結軸５１に連結されるロック体４８と、ケース７側に設けられてロック体４８が係脱する係止部２２とを含む。操作ノブ４７とロック体４８とは、連結軸５１を介して相対回動不能に係合する状態で同行回転可能に連結する。蓋体４６が開口６を塞ぐ状態で、ロック体４８を操作ノブ４７で回転操作して、ロック体４８を係止部２２に対して係脱できるように構成する。
この構成によれば、ロック体４８を操作ノブ４７の連結軸５１に連結するだけで、操作ノブ４７とロック体４８とが、同行回転できるように底蓋８を構成した。このような底蓋８によれば、従来のように組み立て時にねじで締結する必要がなく、より少ない手間で簡単に、しかも確実に底蓋８を組み立てることができる。また、ねじを使用しないので部品点数を削減することができ、ハウジングの製造コストを削減できる利点もある。さらに、ねじの緩みによる操作不良が発生することはなく、底蓋８の着脱を常に的確に行うことができる。加えて、蓋体４６が開口６を塞ぐ状態で、ロック体４８を操作ノブ４７で回転操作して係止部２２に対して係脱するので、より簡単な操作で底蓋８をケース７に着脱できる。
【００６１】
操作ノブ４７の連結軸５１を、径方向へ拡縮自在な弾性軸で形成して、その上端に係合爪５３を張り出す。ロック体４８は、連結ボス６３と、連結ボス６３を上下に貫通する装着孔６６と、連結ボス６３の上部に張り出される係止体６４と、装着孔６６の上端に連続して係止体６４の内部に形成される段部６５とを備える。操作ノブ４７の連結軸５１を、ロック体４８の装着孔６６に挿通した状態において、係合爪５３が段部６５と係合して、操作ノブ４７とロック体４８とが軸心方向へ分離不能に連結する。
この構成によれば、連結軸５１を装着孔６６に挿通するだけで、操作ノブ４７とロック体４８とを軸心方向へ分離不能に連結できるので、操作ノブ４７とロック体４８の連結構造を簡素化しながら、組み立ての手間を省くことができる。
【００６２】
操作ノブ４７の連結軸５１が、同軸５１を径方向へ拡縮自在な少なくとも２個の弾性腕５２を備え、弾性腕５２の上端のそれぞれに係合爪５３を外向きに張り出す。ロック体４８の連結ボス６３の上端には、係止部２２に対して係脱する係止体６４を設ける。ケース７側に設けた下向きの突起２３が両弾性腕５２の上端に位置して、弾性腕５２の縮径方向の変形を規制する。
上記構成によれば、ケース７側に設けた下向きの突起２３で弾性腕５２の縮径方向の変形を規制すると、底蓋８に落下衝撃が加わるような場合でも、弾性腕５２が変形して係合爪５３が段部６５から外れるのを防止できる。したがって、底蓋８のケース７に対する装着状態を維持して、ハウジング１内に収容された電池などの内装部品の脱落を確実に防止できる。
【００６３】
ケース７が、ケース本体９と、ケース本体９に収容されて内装部品が組み付けてあるインナーブラケット１０とを含む。ロック構造の係止部２２と、弾性腕５２の縮径方向の変形を規制する突起２３とを、インナーブラケット１０に形成する。
上記構成によれば、係止部２２および突起２３を独立した部品として形成する場合に比べて、部品点数を削減することができる。また、係止部２２および突起２３を組み付ける手間を省くことができる。
【００６４】
また、ハウジングは、下端に開口６を有する筒状のケース７と、開口６から出し入れされケース７内に収容される電池４と、開口６を塞ぐ底蓋８とを有し、底蓋８が、ケース７と底蓋８との間に設けたロック構造を介してケース７に着脱可能に装着してある。底蓋８は、前記開口６を塞ぐ蓋体４６と、蓋体４６で回動可能に支持される操作ノブ４７と、給電回路を構成する金属製の端子板７３とを備えている。ロック構造は、操作ノブ４７の連結軸５１に同行回転可能に連結されるロック体４８と、ケース７側に設けられてロック体４８が係脱する係止部２２と、ロック体４８をロック状態とアンロック状態との各位置において位置保持できる節度構造とを備えている。節度構造は、端子板７３に一体で設けた板状の節度片９６と、ロック体４８、あるいは連結軸５１に設けられて、前記節度片９６が係脱する保持部６７とを備えている。端子板７３には、電池４用の弾性変形可能な接点９５と節度用の弾性変形可能な節度片９６とを分離する状態で設ける。前記接点９５と前記節度片９６との間のリード部（板面）に変形吸収部９９を設ける。
上記構成によれば、節度片９６を端子板７３に設けているので、別途節度片９６を用意せずに済み、コスト低減を図ることができる。しかも、節度片９６の長さを長くとることができるので、位置保持の状態のとき明確な操作感を得ることができる。さらに節度片９６が板材からなるので、より明確な操作感を得ることができる。節度片９６が金属からなることにより、さらにより明確な操作感を得ることができる。一方で発生した弾性変形がリード部（板面）を伝わって他方に影響を及ぼし、それぞれに設定された弾性力が変化することを防止できる。詳しくは、接点９５に電池４を接続した際には、接点９５に弾性変形が発生し、節度構造を操作する際には、節度片９６に弾性変形が発生し、これらの弾性変形の影響は、接点９５および節度片９６の周辺の端子板７３にも及ぶ。そのため、接点９５および節度片９６が弾性変形すると、接点９５または節度片９６の弾性力が変化し、接点９５の接触不良、または節度構造の機能不全を生じるおそれがある。しかし、前記接点９５と、前記節度片９６との間のリード部（板面）に変形吸収部９９を設けると、一方の弾性変形により端子板７３に発生する変形を変形吸収部９９で遮断して、弾性変形の影響が他方に及ぶことを防止することができる。したがって、接点９５および節度片９６の弾性力を、適正な状態に維持することができる。これに伴い、接点９５と電池４とが接触不良を起こすことなく給電回路を構成することができる。また、節度構造は的確に節度機能を発揮できる。
【００６５】
また、ハウジングは、下端に開口６を有する筒状のケース７と、開口６から出し入れされケース７内に収容される電池４と、開口６を塞ぐ底蓋８とを有し、底蓋８が、ケース７と底蓋８との間に設けたロック構造を介してケース７に着脱可能に装着してある。底蓋８は、前記開口６を塞ぐ蓋体４６と、蓋体４６で回動可能に支持される操作ノブ４７と、給電回路を構成する金属製の端子板７３とを備えている。ロック構造は、操作ノブ４７の連結軸５１に同行回転可能に連結されるロック体４８と、ケース７側に設けられてロック体４８が係脱する係止部２２と、ロック体４８をロック状態とアンロック状態との各位置において位置保持できる節度構造とを備えている。節度構造は、端子板７３に一体で設けた板状の節度片９６と、ロック体４８、あるいは連結軸５１に設けられて、前記節度片９６が係脱する保持部６７とを備えている。端子板７３には、操作ノブ４７の連結軸５１の挿通を許す挿通孔９７と、電池４用の弾性変形可能な接点９５と節度用の弾性変形可能な節度片９６とを分離する状態で設ける。前記接点９５と前記節度片９６との間のリード部（板面）に変形吸収部９９を設ける。一対の接点９５を挿通孔９７の中心を通る直線上に配置し、節度片９６を、前記直線と交差する直線上で、挿通穴９７の周囲に形成する。
上記構成によれば、上記と同様に、節度片９６を端子板７３に設けているので、別途節度片９６を用意せずに済み、コスト低減を図ることができる。しかも、節度片９６の長さを長くとることができるので、位置保持の状態のとき明確な操作感を得ることができる。さらに節度片９６が板材からなるので、より明確な操作感を得ることができる。節度片９６が金属からなることにより、さらにより明確な操作感を得ることができる。一方の弾性変形が他方に影響して、あらかじめ設定された弾性力が変化することを防止でき、それぞれの弾性力を、設定された適正な状態に維持することができる。また、挿通孔９７の中心を通る直線上に節度片９６を形成する場合に比べて、接点９５から節度片９６までの距離を大きくすることができるので、一方の弾性変形の影響が他方に及ぶのをさらに確実に防止できる。加えて、変形吸収部９９を設けるスペースを広くとることができ、確りとした変形吸収部９９を設けることができる。したがって、接点９５と電池４とが接触不良を起こすことなく給電回路を構成することができる。また、節度構造は的確に節度機能を発揮できる。
【００６６】
板状の節度片９６を挿通穴９７の周囲の対向位置に設け、一対の接点９５を結ぶ直線と、一対の節度片９６を結ぶ線とが互いに直交する形態を採ることができる。
上記構成によれば、接点９５および節度片９６が弾性変形するときの変形応力の方向を直行方向に異ならせることができる。したがって、一方の弾性変形の影響が他方に及ぶのをさらに困難化して、接点９５および節度片９６の弾性力を常に適正な状態に維持することができる。また、前記接点９５と前記節度片９６との距離を最大にすることができる。これにより、変形吸収部９９を設けるスペースを広くとることができ、より確りとした変形吸収部９９を設けることができる。さらに、節度片９６をロック体４８の対向位置に設けるので、確りとした節度感が得られる節度構造として、ロック体４８および操作ノブ４７をロック状態とアンロック状態との各位置において的確に位置保持することができる。
【００６７】
また、ハウジングは、下端に開口６を有する筒状のケース７と、開口６から出し入れされケース７内に収容される電池４と、開口６を塞ぐ底蓋８とを有し、底蓋８が、ケース７と底蓋８との間に設けたロック構造を介してケース７に着脱可能に装着してある。底蓋８は、前記開口６を塞ぐ蓋体４６と、蓋体４６で回動可能に支持される操作ノブ４７とを備えている。底蓋８のケース内面側に清掃体１１５を着脱可能に設ける。
上記構成によれば、ハウジング内に清掃体１１５を収容することができる。したがって、例えば、鞄等に収めた状態で電気かみそりを携行する場合でも、別途清掃体１１５を携行する必要がなく、手軽に清掃体１１５による清掃を行うことができる。また、清掃体１１５の紛失または、破損を防止することができる。さらに、清掃体１１５が外面に露出することがないので、シンプルな外観デザインとすることができる。必要時には、底蓋８をケース７から取り外すことにより、清掃体１１５を底蓋８から分離して、必要個所の清掃を簡便に行なうことができる。
【００６８】
蓋体４６のケース内面側に複数の補強リブ１１８を突設する。前記清掃体１１５が、補強リブ１１８を利用して構成した装着部１１９に着脱可能に装着する。
上記構成によれば、複数の補強リブ１１８を利用して構成した装着部１１９に清掃体１１５を着脱可能に装着すると、蓋体４６を補強する補強リブ１１８が、清掃体１１５が装着される装着部１１９を兼ねるので、別途、装着部１１９を設ける必要がなく、その分だけ蓋体４６の構造を簡素化して、ハウジングの製造コストを削減することができる。
【００６９】
ケース７の開口６および蓋体４６の左右幅が、前後幅に比べて大きく設定して、開口６および蓋体４６のそれぞれの外形形状を横長形状に形成する。長軸状に形成した清掃体１１５を、蓋体４６の長手方向に沿う状態で、装着部１１９に装着する。
上記構成によれば、蓋体４６の左右方向寸法の範囲内で長尺の清掃体１１５を設けることができる。長尺の清掃体１１５は、短尺の清掃体に比べて、手指で操作しやすい反面、その収納に大きなスペースを必要とする。しかし、清掃体１１５を蓋体４６の長手方向に沿う状態で収容することにより、取扱いが容易な清掃体１１５を蓋体４６の内面のスペースを利用して好適に収容することができる。
【００７０】
操作ノブ４７の連結軸５１を、蓋体４６の長手方向中央においてケース７内に臨ませてある。清掃体１１５を、連結軸５１に隣接する状態で装着部１１９に装着する。
上記構成によれば、底蓋８を取り外した状態において、手指等が清掃体１１５に触れないように、連結軸５１で保護することができる。したがって、清掃体１１５に手指等が不用意に触れることにより、清掃体１１５が装着部１１９から誤って取り外されることを防止でき、清掃体１１５の紛失または破損を防ぐことができる。また、底蓋８が床面上に落下するような場合に、清掃体１１５を連結軸５１で保護して、清掃体１１５が底蓋８から分離するのを防止できる。
【００７１】
ロック構造は、操作ノブ４７に同行回転可能に連結されるロック体４８と、ケース７側に設けられてロック体４８が係脱する係止部２２とを含む。操作ノブ４７は、蓋体４６と類似する横長形状に形成する。操作ノブ４７をロック解除操作した状態において、操作ノブ４７の長手方向両端を蓋体４６の外郭線の外へ露出させて、清掃体１１５を保護できる形態を採ることができる。
上記構成によれば、連結軸５１に加え、操作ノブ４７でも清掃体１１５を保護することができる。したがって、清掃体１１５が装着部１１９から誤って取り外されることをよく防止でき、清掃体１１５の紛失または破損を防ぐことができる。また、清掃体１１５に落下衝撃が直接作用するのを、連結軸５１および操作ノブ４７で保護して、清掃体１１５が底蓋８から分離するのを防止できる。
【００７２】
また、ハウジングは、下端に開口６を有する筒状のケース７と、開口６から出し入れされケース７内に収容される電池４と、開口６を塞ぐ底蓋８とを有し、底蓋８が、ケース７と底蓋８との間に設けたロック構造を介してケース７に着脱可能に装着してある。ケース７は、ケース本体９と、ケース本体９に収容されて内装部品が組み付けてあるインナーブラケット１０とを含む。インナーブラケット１０には、２個の電池４を保持する左右一対の電池ホルダー１９を形成する。電池ホルダー１９の電池挿入口１９ａに、電池４の挿入方向を表示する表示部１１０を設ける。
上記構成によれば、電池４の挿入位置および方向を明確に表示することができる。したがって、表示部１１０の表示にしたがって電池４を装填する限り、電池４の装填間違いを確実に防止できる。
【００７３】
表示部１１０は、インナーブラケット１０と一体に形成されて、開口６の側へ突出する突出部１１２と、突出部１１２に設けられて、電池４の形状を模した形状の装填方向表示体１１３とで構成する。
上記構成によれば、電池４の形状を模した装填方向表示体１１３により、電池４の挿入方向を一見して理解することができるので、電池４の装填間違いをさらに確実に防止できる。加えて、表示部１１０を独立した部品として形成する場合に比べて、部品点数を削減することができ、表示部１１０を組み付ける手間を省くことができる。
【００７４】
装填方向表示体１１３を突出部１１２と一体に形成して、凸状または凹状の模様として形成する。
電池４の挿入方向表示を塗装あるいはシール等の印刷物とした場合には、経年による劣化で方向表示が剥離して、消失するおそれがある。しかし、上記構成のように装填方向表示体１１３を突出部１１２と一体に形成して、凸状または凹状の模様として形成すると、使用期間が長期にわたる場合であっても、装填方向表示１１３が劣化し、あるいは消失するのを解消して、装填方向表示体１１３の表示機能を長期にわたって安定した状態で発揮できる。
【００７５】
突出部１１２に、開口６に臨んで傾斜する傾斜面１１１を設け、この傾斜面１１１に装填方向表示体１１３を一体に形成する。
上記構成によれば、電池４の挿入時において、装填方向表示体１１３を見やすい方向に指向させることができる。したがって、装填方向表示体１１３を簡単に視認することができ、電池４の挿入位置および方向を明確に表示することができる。
【００７６】
また、ハウジングは、下端に開口６を有する筒状のケース７と、開口６から出し入れされケース７内に収容される電池４と、開口６を塞ぐ底蓋８とを有し、底蓋８が、ケース７と底蓋８との間に設けたロック構造を介してケース７に着脱可能に装着してある。底蓋８は、前記開口６を塞ぐ蓋体４６と、蓋体４６で回動可能に支持される操作ノブ４７と、給電回路を構成する端子板７３とを備えている。ロック構造は、操作ノブ４７の連結軸５１に同行回転可能に連結されるロック体４８と、ケース７側に設けられてロック体４８が係脱する係止部２２とを含む。蓋体４６のケース内面側に配置した端子板７３を、蓋体４６とロック体４８の下端部とで挟持固定する。
上記構成によれば、ロック体４８を操作ノブ４７の連結軸５１に連結するだけで、端子板７３の上下の動きを規制することができる。したがって、端子板７３に設けた電池４用の接点９５の導通機能、および節度構造を構成する節度片９６の位置保持機能を、それぞれ的確に発揮させることができる。
【００７７】
上記ハウジングを備えた電気かみそりにおいては、ケース７は、ケース本体９と、ケース本体９に収容されて内装部品が組み付けてあるインナーブラケット１０とを含む。インナーブラケット１０に、偏心カム２９を備えるモーター３と、モーター３に電力を供給する電池４とを組付ける。モーター３の回転動力を往復動力に変換し、往復動力を切断刃２に伝動する振動子２１を、インナーブラケット１０と一体に形成する。
上記構成によれば、部品点数を削減し、振動子２１を組み付ける手間も省くことができる。
【００７８】
振動子２１の左右両側に設けた締結ボス２０を、インナーブラケット１０と一体に形成する。ケース本体９とインナーブラケット１０とを、ケース本体９の側から締結ボス２０にねじ込んだ締結ビス４２で一体化する。
上記構成によれば、ケース本体９とインナーブラケット１０と振動子２１の三者を強固に一体化できる。また、振動子２１が締結ビス４２で締結された締結ボス２０と一体に設けてあるので、振動子２１の振動が周囲部品へ伝わってビビリ音が発生するのをよく防止でき、電気かみそりを静音化できる。
【００７９】
振動子２１を、ケース本体９とインナーブラケット１０との間に区画された振動子室Ｒに配置する。振動子室Ｒに臨むケース本体９の内面に、モーター３への通電状態をオン・オフする可動側および固定側のスイッチ端子７５・７６を配置する。
上記構成によれば、振動子２１の振動で、両端子７５・７６の接触部分を相対摺動させることができる。したがって、両端子７５・７６の接触部分に電気抵抗となる酸化皮膜が形成されるのを防止できる。また、長期間にわたって不使用状態が続いて、酸化皮膜が形成された場合でも、微振動により酸化皮膜を剥離することができるので、電気かみそりの信頼性を向上することができる。また、振動子２１の往復駆動に伴う振動子室Ｒ内の空気流により、両端子７５・７６に付着した埃等を吹き飛ばして両端子７５・７６の接触状態を好適化できる。
【００８０】
振動子室Ｒは、インナーブラケット１０の上壁１７、および左右一対の締結ボス２０と、ケース本体９の上壁３５、および前後壁３２・３３とに挟まれた空間とすることができる。
上記構成によれば、電気かみそりを静音化することができる。これは、偏心カム２９と振動子２１との接触部分、つまり叩打音の発生源の周囲全体を、先の各部材１７・２０・３２・３３・３５で覆うことにより、外部への音漏れを防止できるからである。
【００８１】
スイッチ７４は、上下に対向配置される可動側端子７５および固定側端子７６と、可動側端子７５を固定側端子７６に対して接離操作する切換え機構とで構成する。切換え機構を、ケース本体９の外面に沿って左右に往復スライド操作されるスライドノブ５と、スライドノブ５の往復動作を回転動作に変換する偏心カム７８と、偏心カム７８に同行回転して、可動側端子７５の接離状態を切換える操作軸８３とで構成する。
上記構成によれば、使用時に誤ってスライドノブ５が操作されることを防止できる。これは、使用時に電気かみそりを握る手指は、多くの場合スライドノブ５のスライド方向に沿ってハウジング１を握っているため、スライドノブ５をスライド操作するのが困難になるからである。
【００８２】
スライドノブ５を振動子室Ｒを区画するケース本体９の前壁３２に配置する。
上記構成によれば、少なくとも振動子室Ｒの前面側を２重の壁で覆うことができる。したがって、使用時に人体と正対する側の騒音を、ケース本体９の前壁３２とスライドノブ５とで遮蔽できるので、電気かみそりをさらに静音化できる。
【００８３】
偏心カム７８とケース本体９との間に、スイッチ７４がオン状態とオフ状態にあるとき、偏心カム７８を各切換え位置に位置保持する節度構造を設ける。節度構造は、偏心カム７８に形成された弾性変形可能な環状の節度体８５と、節度体８５の移動軌跡に重なる状態でケース本体９に設けた節度突起８８とで構成する。スライドノブ５をスライド操作することにより、節度体８５が節度突起８８の一端と他端との間を弾性変形しながら通過して、偏心カム７８をオン状態とオフ状態のいずれかに位置保持する。
上記構成によれば、節度構造を簡素化できる。また、節度体８５を環状に形成するので、片持ち状に形成された節度体に比べて、小さなスペースで大きな弾性力を発揮させて、節度突起８８の両端において的確に節度機能を発揮できる。
【００８４】
ハウジング１の一端に設けた切断刃２の外面を覆う保護キャップ１００を、ハウジング１に対して着脱可能に設ける。不使用状態におけるスライドノブ５の外面を、保護キャップ１００で覆う。
上記構成によれば、例えば、鞄等に収めた状態で電気かみそりを携行する場合に、スライドノブ５が他物と衝突してオン操作されるのを確実に防止できる。
【００８５】
さらに上記構成のハウジングを備えた小型電気機器（電気かみそり）は、次の形態で実施できる。
底蓋８は、前記開口６を塞ぐ蓋体４６と、蓋体４６で回動可能に支持される操作ノブ４７とを備えており、操作ノブ４７は、蓋体４６を貫通してケース７内に臨む連結軸５１を備えており、ロック構造は、操作ノブ４７の連結軸５１に連結されるロック体４８と、ケース７側に設けられてロック体４８が係脱する係止部２２とを含み、操作ノブ４７とロック体４８とは、連結軸５１を介して相対回動不能に係合する状態で同行回転可能に連結されており、蓋体４６が開口６を塞ぐ状態で、ロック体４８を操作ノブ４７で回転操作して、ロック体４８を係止部２２に対して係脱できるように構成してあり、底蓋８をロック構造でケース７の開口６に装着した状態において、蓋体４６の両側端で規定される外郭寸法（Ｖ）が、操作ノブ４７の両側端で規定される外郭寸法（Ｗ）よりも小さく設定されているハウジング、およびこのハウジングを備えた電気かみそり。なお、ハウジング１は平面視において、長円形状を呈しており、その中心を通る垂直面では、どの位置においても上記寸法関係を満足している。
【００８６】
図１４に底蓋８の別実施例を示す。この実施例では、図１４に示すように、ロック体４８は、基部４８ａと、基部４８ａの対向位置に突出形成される係止体６４とが一体に形成されたプラスチック成形品からなる。基部４８ａの内部には、段部６５と装着孔６６とが、ロック体４８を上下に貫通するように形成されている。連結軸５１には、節度片９６とともに節度構造を構成する１個の保持部６７が一体に形成されている。第２端子板７３は、主リード部９４から１個の節度片９６が、折り曲げ加工により形成されている。第２端子板７３は、接着またはＣリング等で、蓋体４６または連結軸５１に固定することができる。上記の実施例の節度構造は、操作ノブ４７がアンロック位置にあるときにのみ、位置保持できるようになっているが、操作ノブ４７がロック位置にあるときにのみ、位置保持できるようになっていてもよい。それ以外の点は、先の実施例と同様であるので、同一の部材には同一の符号を付してその説明を省略する。
【００８７】
図１５に、第２の端子板（端子板）７３の別実施例を示す。この実施例では、階段状に折り曲げ形成した変形吸収部９９から連続的にへ字状のばね接点９５を形成した点が、先の実施例とは異なる。この場合、階段を形成する２つの曲げ部のうち、下側の曲げ部を端部リード部９４ａとする。それ以外の点は、先の実施例と同様であるので、同一の部材には同一の符号を付してその説明を省略する。このようなばね接点９５によれば、プレス機で変形吸収部９９を形成する工程で、ばね接点９５を同時に形成することができるので、第２の端子板９５の製造コストを削減することができる。本実施例においても、変形吸収部９９は、階段状に形成されており、端子板７３は、節度片９６が立ち上がる主リード部９４と接点９５が立ち上がる端部リード部９４ａとを含み、主リード部９４と端部リード部９４ａとは、階段状の変形吸収部９９により、端部リード部９４ａが主リード部９４よりも下方に位置する。また、段差の上下寸法より、端部リード部９４ａから立ち上がる自由状態の接点９５の上下寸法が大きくなるよう設定されている。
【００８８】
図１６は、第２の端子板７３の変形吸収部９９の変形例を示している。
図１６（ａ）〜（ｄ）は、第２の端子板７３の変形吸収部９９の変形例を示す部分正面図である。図１６（ａ）では、変形吸収部９９を逆Ｕ字状の曲げ部により形成した。図１６（ｂ）では、変形吸収部９９を蛇腹状の連続曲げ部により形成した。図１６（ａ）および図１６（ｂ）のように、変形吸収部９９を曲げ部で形成すると、ばね接点９５あるいは節度片９６の弾性変形によって端部リード部９４ａあるいは主リード部９４に発生した変形応力は、変形吸収部９９の屈曲部分が弾性変形することにより吸収されて、一方の弾性変形の影響が他方に及ぶのを遮断することができる。また、図１６（ｃ）では、変形吸収部９９を前後方向に延びるＶ字状の切り込みにより形成した。図１６（ｄ）では、変形吸収部９９を板厚を減少させた板厚減少部により形成した。図１６（ｃ）および図１６（ｄ）のように、変形吸収部９９を板厚減少部で形成すると、ばね接点９５あるいは節度片９６の弾性変形によって端部リード部９４ａあるいは主リード部９４に発生した変形応力は、変形吸収部９９の薄肉部が弾性変形することにより吸収されて、一方の弾性変形の影響が他方に及ぶのを遮断することができる。このように、変形吸収部９９は、主リード部９４と端部リード部９４ａ間に設けた曲げ部、あるいは板厚減少部で形成することができる。図１６（ｅ）は第２の端子板７３の変形吸収部９９の変形例を示す平面図である。ここでは、変形吸収部９９を、端部リード部９４ａ、主リード部９４を含むリード部の板幅方向に設けた切欠きにより形成される幅狭部で形成した。このように、幅狭部を設けた場合にも、上記と同様に、変形応力は、幅狭部が弾性変形することにより吸収されて、一方の弾性変形の影響が他方に及ぶのを遮断することができる。また、プレス機により打ち抜き成形するだけで、変形吸収部９９を形成することができるので、第２端子板９５の製造コストを削減することができる。
【００８９】
上記の実施例では、切断刃２は内刃１２と外刃１３とで構成したがその必要はなく、内刃１２の刃面に、切刃と交差する複数の細いワイヤーを配置する形態の切断刃、つまり、外刃を省略した切断刃であってもよい。さらに本発明のハウジングを適用する小型電気機器としては、電動歯ブラシ、電動爪磨き器、毛玉取り器、懐中電灯など種々考えられる。また、上記実施例では、ロック体４８と連結軸５１とを段部６５と係合爪５３との係合により固定したが、ロック体４８と連結軸５１とをねじで固定した構造であってもよく、或いはロック体４８と連結軸５１とを一体に形成したものであってもよい。一体形成の場合は、蓋体４６を前後割の２分割ケースとして連結軸５１を挟んだ状態でねじなどにより結合する構成とすればよい。節度体８５は環状に形成したが、その必要はなく、直線部を備える多角形状、またはＭ字状に形成してもよい。要は、節度体８５が２箇所以上でカムベース８２に弾性変形可能に接続されていればよい。操作ノブ４７は、円形状のダイヤルであってもよい。
【符号の説明】
【００９０】
２  切断刃
３  モーター
４  電池
５  スライドノブ
６  開口
７  ケース
８  底蓋
９  ケース本体
１０  インナーブラケット
１７  上壁
１９ａ  電池挿入口
２０  支持壁
２１  振動子
２２  係止部
２３  突起
２９  偏心カム
３２  前壁
３３  後壁
３５  上壁
４２  締結ビス
４６  蓋体
４７  操作ノブ
４８  ロック体
５１  連結軸
５２  弾性腕
５２ａ  スリット
５３  係合爪
５９  軸孔
６３  連結ボス
６４  係止体
６５  段部
６６  装着孔
６９  リブ
７４  スイッチ
７５  可動側端子
７６  固定側端子
７８  偏心カム
８３  操作軸
８５  節度体
８８  節度突起
９６  節度片
９９  変形吸収部
１００  保護キャップ段部
１１０  表示部
１１１  傾斜面
１１２  突出部
１１３  装填方向表示体
１１５  清掃体
１１８  補強リブ
１１９  装着部
Ｒ  振動子室
【図１】
0005780674.tif 000002
【図２】
0005780674.tif 000003
【図３】
0005780674.tif 000004
【図４】
0005780674.tif 000005
【図５】
0005780674.tif 000006
【図６】
0005780674.tif 000007
【図７】
0005780674.tif 000008
【図８】
0005780674.tif 000009
【図９】
0005780674.tif 000010
【図１０】
0005780674.tif 000011
【図１１】
0005780674.tif 000012
【図１２】
0005780674.tif 000013
【図１３】
0005780674.tif 000014
【図１４】
0005780674.tif 000015
【図１５】
0005780674.tif 000016
【図１６】
0005780674.tif 000017